(57)【要約】【課題】室内色と室外色が異なるクラッドサッシのキャップ類等の端末部品において、室内色と室外色との色分けが容易でシール機能等の付加が可能なクラッドサッシ用色合わせ部品を提供することを目的とする。【解決手段】室内色と室外色が異なるクラッドサッシのキャップ類等の端末部品において、室内色又は室外色のどちらか一方の近似色で成形した硬質樹脂からなるベース部材に対して、他方の室内色又は室外色の近似色で成形した軟質部材を上記ベース部材に固着した。これにより、室内外の色分けが容易であり外観意匠に優れる端末部品を実現することが出来る。【選択図】  図１
2004300734.tif 000002
【特許請求の範囲】
【請求項１】
室内色と室外色が異なるクラッドサッシのキャップ類等の端末部品において、室内色又は室外色のどちらか一方の近似色で成形した硬質樹脂からなるベース部材に対して、他方の室内色又は室外色の近似色で成形した軟質部材を上記ベース部材に固着したことを特徴とするクラッドサッシ用色合わせ部品。
【請求項２】
軟質部材の少なくとも一部にタイト材機能を付加したものであることを特徴とする請求項１記載のクラッドサッシ用色合わせ部品。
【請求項３】
硬質樹脂からなるベース部材に嵌合部を設けて、この嵌合部に軟質部材が嵌合するように連結成形したことを特徴とする請求項１又は請求項２記載のクラッドサッシ用色合わせ部品。
【発明の詳細な説明】
【０００１】
【発明の属する技術分野】
本発明は、室内色と室外色が異なるクラッドサッシのキャップ類等の端末部品にあって、サッシ室内色と室外色との色調のコーディネイトが容易で外観意匠に優れ、水密・気密性等の機能付加が可能なクラッドサッシ用色合わせ部品の構造に関する。
【０００２】
【従来の技術】
アルミ形材等の金属製のサッシでは熱伝導率が高く、断熱性に劣ることから室内側に結露する不具合も発生しやすい。
そこで室内側に断熱性の高い樹脂部材を結合させたクラッドサッシ（複合サッシ）が提案されている。
この場合に金属部と樹脂部の結合方法が問題になり、室内側も美観を向上させたネジ結合方法（特開平１０−３１７８０７号公報）や樹脂カバー構造（特開２００２−１８０７５４号公報）が提案されている。
【０００３】
しかし、アルミ形材と樹脂形材との組み合わせだけでは、障子のコーナー部等の突き合わせ加工が困難な場合も多い。
そこで、端末処理として各種キャップ類が必要となる。
ところが、このようなキャップ類は質内部と室外部の両方にまたがって取り付けられることになるので、室内側と室外側に色分けする必要がある。
従来は塗装にて色分けしたり、キャップの意匠として全く別の色調にしたりして対応していた。
【０００４】
しかし、塗装による色分けでは部分塗装になるのでコストアップの要因となる。
また、塗装が可能な樹脂材料は非常に限られているので材質の選択肢が極めて制限される。
障子とサッシ枠との間にシール部が必要となり、キャップ類等の端末部品においてもシールラインの形成が要求される場合があるが、キャップ類を硬質樹脂材で成形するとシール機能が不充分であり、一方、軟質系の樹脂で成形すると強度が不充分となる問題もあった。
【０００５】
【特許文献１】
特開平１０−３１７８０７号公報
【特許文献２】
特開２００２−１８０７５４号公報
【０００６】
【発明が解決しようとする課題】
本発明は、上記技術的課題に鑑みて、室内色と室外色が異なるクラッドサッシのキャップ類等の端末部品において、室内色と室外色との色分けが容易でシール機能等の付加が可能なクラッドサッシ用色合わせ部品を提供することを目的とする。
【０００７】
【課題を解決するための手段】
請求項１記載の発明は、室内色と室外色が異なるクラッドサッシのキャップ類等の端末部品において、室内色又は室外色のどちらか一方の近似色で成形した硬質樹脂からなるベース部材に対して、他方の室内色又は室外色の近似色で成形した軟質部材を上記ベース部材に固着した。
【０００８】
これにより、室内外の色分けが容易であり外観意匠に優れる端末部品を実現することが出来る。
ここで、キャップ類等の端末部品とは、室内側と室外側と材料が異なるクラッドサッシの室内色と室外色が異なり、この室内外にまたがって取り付けられる部品をいう。
【０００９】
請求項２記載の発明は、軟質部材の少なくとも一部にタイト材機能を付加した。
【００１０】
これにより、安価で外観意匠に優れながらタイト材機能も合わせ持ち、水密、気密性に優れる端末部品を実現することが出来る。
ここでタイト材機能とは、当接する相手側との間の気密・水密性等のシール機能をいう。
【００１１】
ベース部材に軟質部材を固着する方法として、同質系の樹脂材料では溶着方法を採用してもよいが、硬質部と軟質部とでは要求性能が異なり、溶着が困難な場合には硬質樹脂からなるベース部材に嵌合部を設けて、この嵌合部に軟質部材が嵌合するように連結成形するのがよい。
ここで連結成形とは、例えばベース部を金型内に置き、軟質材を射出成形する方法が上げられる。
【００１２】
【発明の実施の形態】
本発明に係るクラッドサッシ用色合わせ部品の構造例について、以下図面により説明する。
図４は、本発明に係る色合わせ部品を適用した部位を示す全体図である。
図４に示すような突合障子４０ａ、４０ｂと両袖障子４０ｃ、４０ｄの４枚戸からなる引き違い障子においては、突合わせ部等にキャップ１０ａ、１０ｂ等が必要になる。
なお、本発明に係る色合わせ部品は、クラッドサッシ全般に適用され、障子戸に限定されるものではない。
【００１３】
図３は突合せ部分を上方から見たキャップ付近の拡大図である。
キャップは左右の突合框３１ａ、３１ｂそれぞれに設けられている。
突合框３１ａ、３１ｂの室外側はアルミ形材４１ａ、４１ｂで形成されている。
室内側から樹脂形材４４ａ、４４ｂがアルミ形材に連結されたクラッドサッシ構造となっている。
従って室外側に色調は、アルミ形材に施され、室内側の色調は樹脂形材に施される。
この場合にアルミ形材と樹脂形材との色調を合わせることもあるが、一般的には色調を異ならせることで室内外色がコーディネートされている。
コーナー部のキャップ１０ａ、１０ｂは室内側と室外側との両方にまたがって設けられることになる（図２の側面図参照）。
【００１４】
図２は突合框の下枠付近の拡大図である。
突合框の下端にはキャップ１０ａが取り付けられている。
図１（イ）にキャップ１０ａの上面図、図１（ロ）に側面図を示す。
図２に示すように、突合框３１ａ下端に嵌合されたキャップ１０ａの室外側から垂下されたキャップ垂下片１４は、障子下框４１ａ室外側から垂下された障子下框垂下片４２に連続する形状で設けられて、障子スライド溝４３に嵌入した構造になっている。
図１に示すように、キャップ１０ａには突合框３１ａの下端を覆う蓋部１３と、蓋部１３の室外側から垂下されているキャップ垂下片１４と、蓋部１３中央付近から上方へ設けられ突合框３１ａに嵌入する嵌入部１９と樹脂形材４４ａを支持するホルダー部２０が形成されている。
また、障子突合せ位置にはキャップ突合部芯材１７が形成されている。
キャップ垂下片１４の室内側には下枠とのキャップタイト部１６が設けられ、障子スライド溝４３の室内側側壁に摺接している。
キャップ１０ａのベース部材１２は硬質樹脂で成形されていて、蓋部１３、嵌入部１９、ホルダー部２０、キャップ垂下片１４の室内側及び突合せ部芯材１７を構成している。
硬質樹脂からなるベース部材は、室内側に露出していて樹脂形材に施された室内色に合わせた近似色となっている。
室外側には軟質部材１１が固着されていて、キャップ垂下片１４室外側、キャップ突合部のタイト部１８ａ及び下枠とのキャップタイト部１６を構成している。
軟質部材１１は、室外側に露出し室外色が施されたアルミ形材の室外色に合わせた近似色となっている。
これにより、キャップは室内外色に色分けされコーディネートされている。
【００１５】
下枠とのキャップタイト部１６は、キャップ垂下片１４の硬質樹脂部分を室外側と室内側を貫通して設けられている貫通孔１５を通り、キャップ垂下片１４の室外側の軟質樹脂まで一体で成形されている。
即ち、キャップ垂下片１４には軟質部材１１の一部で室内側にタイト部１６を設けて、内障子スライド溝４３の室内側側壁に摺接させて、下枠１とキャップ１０ａの間をシールしていることになる。
これにより、図２に示すように障子下框垂下片４２に設けられているタイト材と連続し下枠１と障子下框４１ａの間はシールされる。
また、キャップ突合部芯材１７の表面に形成した突合部のタイト部１８ａは、突合せ相手のキャップ１０ｂの突合部のタイト部１８ｂと当接することで障子突合せ部分のシールを行う。
これにより、突合框３１ａ、３１ｂからキャップ１０ａ、１０ｂにかけての突合せ部分はシールされる。
このように、突合框下部のコーナー部のシールは良好に実現され、水密、気密性に優れた構造となっている。
【００１６】
軟質部材１１はベース部材１２に貫通孔１５等の嵌合部を介して成形されることでベース部材１２へ固着されているが、軟質部材１１とベース部材１２を形成する樹脂が同系、又は接着性の相性の良い材料同士の場合は、溶着により固着してもよい。
【００１７】
【発明の効果】
本発明においては、室内色又は室外色のどちらか一方の近似色で成形した硬質樹脂からなるベース部材に対して、他方の室内色又は室外色の近似色で成形した軟質部材を上記ベース部材に固着することにより室内外色に容易に色分け出来る。
剥がれる恐れのある塗装を実施することなく、安価に室内外の色調に合わせてコーディネートでき、ベース部材の材質もその部品に要求される強度、耐候性、成形性、価格に応じ多種多様な種類の中から自由に選択することが可能になる。
【００１８】
また、軟質部材の少なくとも一部にタイト材機能を付加したため、安価で外観意匠に優れながらタイト材機能も合わせ持ち、水密、気密性に優れる端末部品が得られる。
【図面の簡単な説明】
【図１】（イ）本発明に係るキャップの構造例の上面図を示す。
（ロ）本発明に係るキャップの構造例の側面図を示す。
【図２】本発明に係るキャップの下枠付近の拡大図を示す。
【図３】本発明に係るキャップの突合せ位置付近の拡大図を示す。
【図４】本発明に係るキャップを適用したサッシを表した図を示す。
【符号の説明】
１    下枠
１０ａ、１０ｂ  キャップ（端末部品）
１１  軟質部材
１２  ベース部材
１３  キャップ蓋部
１４  キャップ垂下片
１５  貫通孔
１６  下枠とのキャップタイト部
１７  キャップ突合部芯材
１８ａ、１８ｂ  キャップ突合部のタイト部
１９  嵌入部
２０  ホルダー部
３１ａ、３１ｂ  突合框
４０ａ、４０ｂ  突合障子
４０ｃ、４０ｄ  両袖障子
４１ａ、４１ｂ  アルミ形材
４２  障子下框垂下片
４３  障子スライド溝
４４ａ、４４ｂ  樹脂形材
【図１】
2004300734.tif 000003
【図２】
2004300734.tif 000004
【図３】
2004300734.tif 000005
【図４】
2004300734.tif 000006